(57)【要約】【課題】本発明は、少なくとも１つのノードを備えるワイヤレスネットワーク内の伝送方法に関する。【解決手段】伝送速度を高めるために、本方法は、少なくとも１つの送信要求（４０２）を、少なくとも１つの第１の物理チャネルを介してノードによって送信するステップと、ノードによって、極高周波に属す少なくとも１つの周波数帯を使用する少なくとも１つの第２の物理チャネルを介して少なくとも１つのデータ送信合意（４０３）を受信するステップであって、第１の物理チャネルおよび第２の物理チャネルが異なる、ステップと、受信後にデータを送信するステップとを含む。また、本発明は、通信管理方法にも関する。【選択図】図４
2015080266.tif 000002
【特許請求の範囲】
【請求項１】
少なくとも１つの第１のノードを備えるワイヤレスネットワーク内の伝送方法であって、
・少なくとも１つの第１の送信要求（４０２、５０２、６０２）を、少なくとも１つの第１の物理チャネルを介して前記少なくとも１つの第１のノードによって送信するステップ（９１）と、
・前記少なくとも１つの第１のノードによって、極高周波（ＥＨＦ）に属す少なくとも１つの周波数帯を使用する少なくとも１つの第２の物理チャネルを介して少なくとも１つの第１のデータ送信合意（４０３、５０５、６０４、６０６）を受信するステップ（９２）であって、
前記第１の物理チャネルおよび前記第２の物理チャネルは異なる、ステップと、
・前記受信（９２）の後でデータを送信するステップ（９３）と
を含むことを特徴とする方法。
【請求項２】
前記少なくとも１つの第１のノードは、競合アクセス方法を用いることにより、前記ワイヤレスネットワークにアクセスし、前記少なくとも１つの物理チャネルは、前記少なくとも１つの第２の物理チャネルより外部変動に敏感でないことを特徴とする請求項１に記載の方法。
【請求項３】
前記少なくとも１つの第１の物理チャネルおよび前記少なくとも１つの第２の物理チャネルは、異なる周波数帯を使用することを特徴とする請求項１または２に記載の方法。
【請求項４】
前記少なくとも１つの第１の物理チャネルは、周波数すべてが３０ＧＨｚ未満の周波数帯を使用することを特徴とする請求項１ないし３のいずれか１項に記載の方法。
【請求項５】
前記少なくとも１つの第１の送信合意（４０３、６０４）は、前記少なくとも１つの第１の物理チャネルを介して前記少なくとも１つの第１のノードによって受信されることを特徴とする請求項１ないし４のいずれか１項に記載の方法。
【請求項６】
前記少なくとも１つの第１のノードによって、前記少なくとも１つの第２の物理チャネルを介した少なくとも１つの第２の送信要求（６０５）を、前記少なくとも１つの第２の物理チャネルを介して送信するステップを含むことを特徴とする請求項１ないし５のいずれか１項に記載の方法。
【請求項７】
前記少なくとも１つの第１のノードによって、前記少なくとも１つの第２の物理チャネルを介した少なくとも１つの第２のデータ送信合意（６０６）を、前記少なくとも１つの第２の物理チャネルを介して受信するステップを含むことを特徴とする請求項１ないし６のいずれか１項に記載の方法。
【請求項８】
前記少なくとも１つの第１のノードによって、前記少なくとも１つの第１の物理チャネルを介した少なくとも１つの第２のデータ送信合意（５０４）を、前記少なくとも１つの第１の物理チャネルを介して受信するステップを含み、前記少なくとも１つの第１の送信合意（５０５）は、前記少なくとも１つの第２の物理チャネルを介して受信されることを特徴とする請求項１ないし６のいずれか１項に記載の方法。
【請求項９】
・少なくとも１つの第１の送信合意（５０５）の受信品質テストおよび少なくとも１つの第２の送信合意（５０４）の受信品質テストのステップと、
・前記品質テストの結果により、前記少なくとも１つの第１の物理チャネルを介して、および／または前記少なくとも１つの第２の物理チャネルを介してデータを送信するステップと
を含むことを特徴とする請求項７および８のいずれか１項に記載の方法。
【請求項１０】
前記少なくとも１つの第１の物理チャネルを介して送信される少なくとも１つのデータパケットは、前記少なくとも１つの第２の物理チャネルを介して送信される少なくとも１つのデータパケットより高い優先レベルをもつことを特徴とする請求項１ないし９のいずれか１項に記載の方法。
【請求項１１】
・前記少なくとも１つの第２の物理チャネルを介して送信される前記データの非受信を表す情報が、前記少なくとも１つの第１のノードによって受信され、または
・前記少なくとも１つの第２の物理チャネルを介して送信される前記データの前記受信を表す情報が、所定時間の満了前に受信されない
場合、
前記少なくとも１つの第２の物理チャネルを介して送信される前記データの少なくとも一部分は、前記少なくとも１つの第１の物理チャネルを介して前記少なくとも１つの第１のノードによって再度送信されることを特徴とする請求項１ないし１０のいずれか１項に記載の方法。
【請求項１２】
前記少なくとも１つの第２の物理チャネルを介して送信されるデータの前記受信を表す情報（４０６、６０８）は、前記少なくとも１つの第１の物理チャネルを介して前記少なくとも１つの第１のノードによって受信されることを特徴とする請求項１ないし１１のいずれか１項に記載の方法。
【請求項１３】
前記少なくとも１つの第１の送信要求（４０２、５０２、６０２）は、前記少なくとも１つの第１の物理チャネルおよび／または前記少なくとも１つの第２の物理チャネル上でのデータ送信要求を表す情報を含む少なくとも１つのフィールドを含むことを特徴とする前記の請求項のいずれか１項に記載の方法。
【請求項１４】
前記少なくとも１つの第１の送信合意（４０３、５０５、６０４）は、前記少なくとも１つの第１の物理チャネルおよび／または前記少なくとも１つの第２の物理チャネルを介したデータ送信認可または拒絶を表す情報を含む少なくとも１つのフィールドを含むことを特徴とする前記の請求項のいずれか１項に記載の方法。
【請求項１５】
少なくとも１つの第１のノードを備えるワイヤレスネットワークにおける通信管理方法であって、
・前記少なくとも１つの第１のノードによって、少なくとも１つの第１の物理チャネルを介して少なくとも１つの第１の送信要求（４０２、５０２、６０２）を受信するステップ（１１１）と、
・前記少なくとも１つの第１のノードによって、極高周波（ＥＨＦ）に属す少なくとも１つの周波数帯を使用する少なくとも１つの第２の物理チャネルを介して少なくとも１つの第１のデータ送信合意（４０３、５０５、６０４、６０６）を送信するステップ（１１２）と
を含み、
前記第１の物理チャネルおよび前記第２の物理チャネルは異なることを特徴とする方法。
【発明の詳細な説明】
【技術分野】
【０００１】
本発明は、遠隔通信分野に関し、より正確には、少なくとも１つのノードを備えるネットワーク内の物理チャネルの予約を伴うワイヤレスデータ伝送に関する。
【背景技術】
【０００２】
従来技術によれば、いくつかのワイヤレスネットワークアーキテクチャが知られている。こうしたアーキテクチャの一部は、データパケットの衝突の回避を伴うメディアアクセス方法を用いる。したがって、ＩＥＥＥ標準８０２．１５．４により定義されるＷｉ−Ｆｉ（登録商標）システム（ＩＥＥＥ標準８０２．１１に基づく）または非ビーコンモードでの通信プロトコルに基づくシステムは、ネットワークノードの間、たとえば、アクセスポイントとステーションとの間での制御フレーム交換の原理による、ＣＳＭＡ／ＣＡ（衝突回避を伴うキャリア検知多重アクセス）タイプの競合アクセスモードを実行する。交換される制御フレームは、ＲＴＳ／ＣＴＳ（「送信要求」／「送信許可」）タイプである。
【０００３】
Ｗｉ−Ｆｉ（登録商標）システムによって達成されるビットレートは、実装されるＩＥＥＥプロトコル８０２．１１（ＩＥＥＥ標準８０２．１１ａ、８０２．１１ｂ、８０２．１１ｇまたは８０２．１１ｎを参照）（「IEEE Standard for Information technology - telecommunications and information exchange between systems - Local and metropolitan area networks - Specific requirements / Part 11: Wireless LAN Medium Access Control (MAC) and Physical Layer (PHY) Specifications」という名称の基準ＩＥＥＥ８０２．１１（登録商標）−２００７でＩＥＥＥにより発行されている）および関連づけられた周波数帯（通常、２ＧＨｚ〜５ＧＨｚ）によると、理論上のビットレートとしては１１Ｍビット／ｓから６００Ｍビット／ｓまで、および、実際には６．５から４２０Ｍビット／ｓまで達する。ＩＥＥＥ８０２．１５．４タイプのシステムによって到達されるビットレートは通常、２５０ｋビット／ｓの規模である。より高い伝送レートを一層必要とする新規サービスおよび新規アプリケーションの出現に伴い、このようなシステムによって提供されるビットレートは今日では、ユーザの期待および必要を満たすのに適さないことが分かっている。
【発明の概要】
【発明が解決しようとする課題】
【０００４】
本発明の目的は、従来技術のこうした欠点を克服することである。
【０００５】
より具体的には、本発明の目的は、ワイヤレスネットワーク内でより高い伝送ビットレートを可能にしながら、ネットワークの様々なノードの間の衝突回避を最適化することである。
【課題を解決するための手段】
【０００６】
本発明は、少なくとも１つの第１のノードを備えるワイヤレスネットワークにおける伝送方法に関する。伝送速度を高めるために、本方法は、
・少なくとも１つの第１の送信要求を、少なくとも１つの第１の物理チャネルを介して少なくとも１つの第１のノードによって送信するステップと、
・少なくとも１つの第１のノードによって、極高周波（ＥＨＦ）に属す少なくとも１つの周波数帯を使用する少なくとも１つの第２の物理チャネルを介して、少なくとも１つの第１のデータ送信合意を受信するステップであって、
第１の物理チャネルおよび第２の物理チャネルは異なる、ステップと、
・受信の後にデータを送信するステップとを含む。
【０００７】
したがって、本発明による伝送方法は、第１の送信要求に対して第１の物理チャネルを使用することにより、少なくとも極高周波に属す周波数帯を使用する第２の物理チャネルを介して、高ビットレートデータを伝送するのに用いられる。１つまたは複数の第１のノードが、１つまたは複数の第１の送信要求を、１つまたは複数の第１の物理チャネルを介して送信し、１つまたは複数の第２の物理チャネルを介して、１つまたは複数の送信合意を受信する。
【０００８】
有利なことに、少なくとも１つの第１のノードは、競合アクセス方法を用いることにより、ワイヤレスネットワークにアクセスし、少なくとも１つの物理チャネルは、少なくとも１つの第２の物理チャネルより外部変動に敏感でない。
【０００９】
特定の特性によると、少なくとも１つの第１の物理チャネルおよび少なくとも１つの第２の物理チャネルは、異なる周波数帯を使用する。
【００１０】
有利なことに、少なくとも１つの第１の物理チャネルは、周波数帯を使用するが、その周波数すべてが３０ＧＨｚ未満である。
【００１１】
別の特性によると、少なくとも１つの第１の送信合意は、少なくとも１つの第１の物理チャネルを介して少なくとも１つの第１のノードにより受信する。
【００１２】
具体的な特性によると、本方法は、少なくとも１つの第１のノードによって、少なくとも１つの第２の物理チャネルを介した少なくとも１つの第２の送信要求を、少なくとも１つの第２の物理チャネルを介して送信するステップを含む。
【００１３】
有利なことに、本方法は、少なくとも１つの第１のノードによって、少なくとも１つの第２の物理チャネルを介した少なくとも１つの第２のデータ送信合意を、少なくとも１つの第２の物理チャネルを介して受信するステップを含む。
【００１４】
別の特性によると、本方法は、少なくとも１つの第１のノードによって、少なくとも１つの第１の物理チャネルを介した少なくとも１つの第２のデータ送信合意を、少なくとも１つの第１の物理チャネルを介して受信するステップを含み、少なくとも１つの第１の送信合意は、少なくとも１つの第２の物理チャネルを介して受信される。
【００１５】
ある特定の特性によると、本方法は、
・少なくとも１つの第１の送信合意の受信品質テスト、および、少なくとも１つの第２の送信合意の受信品質テストのステップと、
・品質テストの結果により、少なくとも１つの第１の物理チャネルを介して、および／または、少なくとも１つの第２の物理チャネルを介してデータを送信するステップとを含む。
【００１６】
具体的な特性によると、少なくとも１つの第１の物理チャネルを介して送信される少なくとも１つのデータパケットは、少なくとも１つの第２の物理チャネルを介して送信される少なくとも１つのデータパケットより高い優先レベルをもつ。
【００１７】
有利なことに、
・少なくとも１つの第２の物理チャネルを介して送信されるデータの非受信を表す情報が、少なくとも１つの第１のノードによって受信され、または
・少なくとも１つの第２の物理チャネルを介して送信されるデータの受信を表す情報が、所定時間の満了前に受信されない場合、
少なくとも１つの第２の物理チャネルを介して送信されるデータの少なくとも一部分は、少なくとも１つの第１の物理チャネルを介して少なくとも１つの第１のノードによって再度送信される。
【００１８】
別の特性によると、少なくとも１つの第２の物理チャネルを介して送信されるデータの受信を表す情報は、少なくとも１つの第１の物理チャネルを介して少なくとも１つの第１のノードによって受信される。
【００１９】
有利なことに、少なくとも１つの第１の送信要求は、少なくとも１つの第１の物理チャネルおよび／または少なくとも１つの第２の物理チャネル上でのデータ送信要求を表す情報を含む少なくとも１つのフィールドを含む。
【００２０】
特定の特性によると、少なくとも１つの第１の送信合意は、少なくとも１つの第１の物理チャネルおよび／または少なくとも１つの第２の物理チャネルを介したデータ送信認可または拒絶を表す情報を含む少なくとも１つのフィールドを含む。
【００２１】
本発明は、少なくとも１つの第１のノードを備えるワイヤレスネットワークにおける通信管理方法にも関し、この方法は、
・少なくとも１つの第１のノードによって、少なくとも１つの第１の物理チャネルを介して少なくとも１つの第１の送信要求を受信するステップと、
・少なくとも１つの第１のノードによって、極高周波（ＥＨＦ）に属す少なくとも１つの周波数帯を使用する少なくとも１つの第２の物理チャネルを介して少なくとも１つの第１のデータ送信合意を送信するステップとを含み、
第１の物理チャネルおよび第２の物理チャネルは異なる。
【００２２】
したがって、本発明による管理方法は、第１の物理チャネルを介して発送される送信要求の受信により、少なくとも極高周波に属す周波数帯を高ビットレートデータの伝送用に使用する第２の物理チャネルの予約を最適化するのに用いられる。
【図面の簡単な説明】
【００２３】
添付の図面を参照する以下の説明を読むと、本発明がよりよく理解され、他の具体的な特徴および利点が明らかになるであろう。
【００２４】
【図１】本発明の特定の実施形態による、いくつかのノードを実装するワイヤレスシステムを示す図である。
【図２】本発明による、図１のシステムのアクセスポイントを概略的に示す図である。
【図３】本発明による、図１のシステムのステーションを概略的に示す図である。
【図４】それぞれ、図１のシステムのノードによって実装される、本発明の特定のモードによるフレーム送信／受信モードを示す図である。
【図５】それぞれ、図１のシステムのノードによって実装される、本発明の特定のモードによるフレーム送信／受信モードを示す図である。
【図６】それぞれ、図１のシステムのノードによって実装される、本発明の特定のモードによるフレーム送信／受信モードを示す図である。
【図７】本発明の特定の２つの実施形態による、図１のシステムのノードによって送受信されるＲＴＳフレームの内容を概略的に示す図である。
【図８】本発明の特定の２つの実施形態による、図１のシステムのノードによって送受信されるＣＴＳフレームの内容を概略的に示す図である。
【図９】本発明の特定の実施形態による、図１のシステムのノードによって実装される伝送方法を示す図である。
【図１０】本発明の特定の実施形態による、図１のシステムのノードによって実装される伝送方法を示す図である。
【図１１】本発明のある特定のモードによる、図１のシステムのノードによって実装される通信管理方法を示す図である。
【発明を実施するための形態】
【００２５】
限定的なものではないが、本発明は概して、データを伝送するための、チャネル予約を伴う、ワイヤレスネットワークにおける伝送方法および対応する通信管理方法に関する。１つまたは複数の送信要求ＲＴＳの送信、および、１つまたは複数の送信合意（または「許可」）ＣＴＳの受信は有利なことに、少なくとも１つの第１の物理チャネルを介して実施され、データ送信は有利なことに、極高周波に属す１つまたは複数の周波数帯を使用する少なくとも１つの第２の物理チャネルを介して実施される。有利な特性によると、第１の物理チャネルは、第２の物理チャネルよりも高い堅牢性、すなわちデータ送信に対する外部の妨害（たとえば、障害物、障害物による反射、干渉、ドップラー効果）に敏感でないことを特徴とする。この目的のために、第１の物理チャネルは、たとえば１つもしくは複数の２．４ＧＨｚ、および／または、５ＧＨｚ周波数帯を使用し、第２の物理チャネルは、極高周波（ＥＨＦ）に属す周波数帯、たとえば６０ＧＨｚに近い帯域を使用する。第１のチャネルを介したＲＴＳ／ＣＴＳフレームの交換は、こうしたフレームを受信するノードが物理的障害により送信しているノード(emitting node)から隔てられ、かつ／または、送信側から離れている場合であっても、こうしたフレームがネットワークの多数のノード（アクセスポイントおよび／またはステーション）によって受信されるという利点をもたらす。有利なことに、受信ノードは次いで、指示され、または、ＲＴＳおよび／もしくはＣＴＳフレーム中にない所定の期間だけ送信をやめる。第２のチャネルを介したデータの送信は、利用可能周波数帯がＥＨＦでは概して広いので、高ビットレートという利点をもたらす。
【００２６】
図１は、本発明のある特定の実施形態による、アクセスポイント１０およびいくつかのステーション１１、１２、１３、１４を含んでいて、ＩＥＥＥ標準８０２．１１（登録商標）−２００７に対応したいくつかのネットワークノードを実装するワイヤレス通信システム１を示している。簡単な例として、アクセスポイント１０およびステーション１１は直接見通せる線上にあり、ステーション１２、１３、１４は、アクセスポイント１０とも、ステーション１１とも、直接見通せる線上にない。アクセスポイント１０は、仕切り１０００によりステーション１４から隔てられ、アクセスポイント１０は、２つの仕切り１０００、１００１によりステーション１３から隔てられ、アクセスポイント１０は、仕切り１０００によりステーション１２から隔てられ、ステーション１２は、仕切り１００１によりステーション１３から隔てられている。ノード１０〜１４の各々は、他のノード１０〜１４の各々によって送信される信号を受信して復号することができる。仕切り１０００、１００１は、ＥＨＦに属す周波数にとって障害であり、低周波数、すなわち３０ＧＨｚより低い周波数であって、有利なことに２０ＧＨｚ未満の周波数を通過させる。実際、ＥＨＦは、通常、３０ＧＨｚより低い周波数など、比較的低い周波数と同じ伝播プロパティ（範囲、障害による減衰、障害物による反射、干渉など）をもたない。ＥＨＦは、低周波数範囲より低い範囲、たとえば、１０倍低い範囲をもち、ＥＨＦは、壁や人間の体などの障害物も通過せず、高い減衰で障害物を通過することもなく、ＥＨＦは、障害物（たとえば、動く体）上での反射および干渉に対して高度に敏感である。直接見通せる線上にあり、互いに近いアクセスポイント１０およびステーション１１は、周波数すべてがＥＨＦに属す周波数帯を使用する物理チャネルを介してデータを交換する。アクセスポイント１０は、周波数すべてが３０ＧＨｚより低く、たとえば２．４ＧＨｚおよび／または５ＧＨｚと等しい、少なくとも１つの周波数帯を使用する物理チャネルを介してステーション１２、１３、１４それぞれにデータを送信する。なぜなら、ステーション１２、１３、１４の各々は、仕切り１０００、１００１によりアクセスポイント１０から隔てられているからである。同様に、ステーション１２、１３は、仕切り１００１により隔てられ、周波数すべてが３０ＧＨｚ未満、たとえば２．４ＧＨｚおよび５ＧＨｚの周波数帯を使用する物理チャネルを用いて、データを交換する。ノードの間のリンクは、３０ＧＨｚ未満の周波数帯および３０ＧＨｚより大きい周波数帯にそれぞれ対応する第１および第２のチャネル中の２つのノード（アクセスポイントまたはステーション）の間で送信が可能なときは、折れた実線矢印で表される。データは有利なことに、１つまたは複数の第２のチャネルを介して送信されるので、１つまたは複数の送信要求は、１つまたは複数の第１のチャネルを介して送信される。ノードの間のリンクは、３０ＧＨｚより低い周波数に対応する第１のチャネル中で２つのノード（アクセスポイントまたはステーション）の間の送信が可能であり、３０ＧＨｚより高い周波数に対応する第２のチャネル中で不可能または高度に妨害されるときは、折れた点線矢印で表される。
【００２７】
有利なことに、システム１のステーション１１〜１４は、可搬型ユニット、たとえば、システム１の固定型または移動体のアクセスポイント１０によって送信されるデータおよびサービスの受信、ならびに／あるいは、処理（たとえば、音声もしくはオーディオデータの復元および／もしくは映像データの表示、または、より全般的にはマルチメディアデータの復元、格納もしくは処理）に適した可搬型端末、遠隔通信装置または電話である。
【００２８】
有利なことに、システム１のアクセスポイント１０は、固定装置、たとえば中継局やルータである。アクセスポイントは、広いカバーエリアに渡るデータのブロードキャストに適した高電力送信機、または、より制限されたカバーエリアに渡るデータのブロードキャストに適した平均的もしくは低電力送信機である。変形形態によると、アクセスポイントは、「ピコセル」、すなわち、建物、スーパーマーケット、駅の内部のような小さい、すなわち約１０メートル程度の範囲をもつエリアをカバーするシステムを形成する（一部の実施形態によると、ピコセルにおいて、範囲は有利なことに、３００ｍ未満である）。別の変形形態によると、アクセスポイントは、「フェムトセル」、すなわち、家または建物の一部の部屋、建物のフロア、航空機のように、ピコセルより小さい、すなわち数メートルの範囲をもつ、制限されたエリアをカバーするように設計されたシステムを形成する（一部の実施形態によると、フェムトセルにおいて、範囲は有利なことに、１００ｍ未満である）。
【００２９】
有利なことに、アクセスポイント１０は、図１には表さない第２のネットワークに接続される。この第２のネットワークは、ワイヤード（たとえば、イーサネット（登録商標））またはワイヤレスタイプである。
【００３０】
変形形態によると、アクセスポイント１０およびステーション１１〜１４は、ＳＩＳＯ（「単入力単出力」）タイプであり、単一のアンテナのみをもつ。
【００３１】
別の変形形態によると、アクセスポイント１０およびステーション１１〜１４は、ＭＩＭＯ（「多入力多出力」）タイプであり、それぞれ、ＭＩＭＯコーダおよび／デコーダならびにＭＩＭＯ信号を送信し、かつ／または受信するいくつかのアンテナをもつ。
【００３２】
有利なことに、システム１のノード１０〜１４の一部分はＳＩＳＯタイプであり、他の部分はＭＩＭＯタイプである。
【００３３】
図２は、たとえば図１のアクセスポイント１０に対応するアクセスポイント２のハードウェア実施形態を図式的に示している。
【００３４】
アクセスポイント２は、クロック信号も移送するアドレスおよびデータバス２４によって互いに接続された以下の要素を備える。
・マイクロプロセッサ２１（またはＣＰＵ）
・ＲＯＭ(Read Only Memory）タイプの不揮発性メモリ２２
・ＲＡＭ(Random Access Memory)２３
・少なくとも１つの無線インタフェース２６であって、たとえば、所定の周波数帯中（たとえば、ＥＨＦ帯域中またはすべての周波数が３０ＧＨｚ未満の帯域中）での無線フレーム（たとえば、ＲＴＳ／ＣＴＳシグナリングまたはデータフレーム）の受信にそれぞれ適した２つ、３つまたは４つの無線インタフェース。変形形態によると、無線インタフェース２６は、所定のいくつかの周波数帯中（たとえば、ＥＨＦ帯域中および周波数すべてが３０ＧＨｚ未満の帯域中）での無線フレームの受信に適している。
・少なくとも１つのインタフェース２７であって、たとえば、無線フレーム（たとえば、シグナリングまたはデータの送信（たとえば、サービスのブロードキャストまたは１対多地点間もしくは２地点間伝送）に適した、具体的には所定の周波数帯を介した（たとえば、ＥＨＦ帯域中または周波数すべてが３０ＧＨｚ未満である帯域中）符号器および／またはＯＦＤＭ変調器、ならびに、少なくとも１つの送信機の機能を実施する２つ、３つまたは４つのインタフェース。変形形態によると、インタフェース２７は、所定のいくつかの周波数帯中（たとえば、ＥＨＦ帯域中および周波数すべてが３０ＧＨｚ未満の帯域中）での無線フレームの送信に適している。
・ユーザに対する情報の表示、ならびに／または、データもしくはパラメータの入力（たとえば、サブキャリアおよび送信されるべきデータのパラメータ化）に適合されたＭＭＩ(Man Machine Interface)インタフェース２８または具体的なアプリケーション。
【００３５】
メモリ２２、２３の説明において使用される「レジスタ」という語は、言及されるメモリそれぞれにおいて、低容量のメモリゾーン（何らかのバイナリデータ）ならびに大容量のメモリゾーンを指定する（プログラム全体が格納され、または、データを表すデータの全部もしくは一部が受信され、もしくは送信されることを可能にする）ことに留意されたい。
【００３６】
メモリＲＯＭ２２は、具体的には、
・「ｐｒｏｇ」２２０プログラムと、
・物理層のパラメータ２２１とを備える。
【００３７】
本発明に特有の方法のステップを実装するとともに後で説明するアルゴリズムは、こうしたステップを実行するアクセスポイント２に関連づけられたＲＯＭ２２メモリに格納される。電源が入ると、マイクロプロセッサ２１は、こうしたアルゴリズムの命令をロードし稼動させる。
【００３８】
ランダムアクセスメモリ２３は、特記すべきこととして、
・レジスタ２３０において、アクセスポイント２の電源オンを担う、マイクロプロセッサ２１の運転プログラムと、
・送信パラメータ２３１（たとえば、変調、符号化、ＭＩＭＯ、フレーム循環パラメータ）と、
・受信パラメータ２３２（たとえば、変調、符号化、ＭＩＭＯ、フレーム循環パラメータ）と、
・着信データ２３３と、
・データ送信のための符号化データ２３４と、
・ステーションによって送信される信号の受信品質パラメータ２３５（たとえば、受信された信号の電力レベル、信号対ノイズ比）と、
・物理チャネルパラメータ２３６（たとえば、アクセスポイント２によってデータが送信されるときの所定の周波数帯、所定の符号の割当て）とを備える。
【００３９】
無線インタフェース２６は、適切な場合、システム１のステーション１１〜１４によって送信される信号の受信に適している。インタフェース２７は、システム１のステーション１１〜１４への信号の送信に適合する。
【００４０】
図３は、たとえば、ステーション１１、１２、１３、１４に対応するとともに、アクセスポイント２によって送信される信号の受信および復号に適合したシステム１に属すステーション３のハードウェア実施形態を図式的に示している。
【００４１】
ステーション３は、クロック信号も移送するアドレスおよびデータバス３４によって互いに接続された以下の要素を備える。
・マイクロプロセッサ３１（またはＣＰＵ）と、
・ＲＯＭ(Read Only Memory）タイプの不揮発性メモリ３２と、
・ＲＡＭ(Random Access Memory)３３と、
・少なくとも１つの無線インタフェース３６、たとえば、２つ、３つまたは４つの無線インタフェースと、
・データの送信に適合した、少なくとも１つの無線インタフェース３７、たとえば、２、３つまたは４つのインタフェースと、
・ユーザに対する情報の表示ならびに／またはデータもしくはパラメータの入力（たとえば、サブキャリアおよび送信データのパラメータ化）に適合したＭＭＩインタフェース３８。
【００４２】
メモリ３２、３３の説明において使用される「レジスタ」という語は、言及されるメモリそれぞれにおいて、低容量のメモリゾーンならびに大容量のメモリゾーンを指定する（プログラム全体が格納され、または、データセットを表すデータの全部もしくは一部が受信され、もしくは復号されることを可能にする）ことに留意されたい。
【００４３】
メモリＲＯＭ３２は具体的には、
・「ｐｒｏｇ」３２０プログラムと、
・物理層のパラメータ３２１とを備える。
【００４４】
本発明に特有の方法のステップを実装するとともに後で説明するアルゴリズムは、こうしたステップを実行するステーション３に関連づけられたＲＯＭメモリ３２に格納される。電源が入ると、マイクロプロセッサ３１は、こうしたアルゴリズムの命令をロードし稼動させる。
【００４５】
ランダムアクセスメモリ３３は、特記すべきこととして、
・レジスタ３３０において、ステーション３の電源オンを担うマイクロプロセッサ３１の運転プログラムと、
・受信パラメータ３３１および送信パラメータ３３２（たとえば、変調、符号化、ＭＩＭＯ、フレーム循環パラメータ）と、
・受信機３６によって受信され復号されるデータに対応する着信データ３３３と、
・アプリケーション３８へのインタフェースに送信されるようにフォーマットされた復号化データ３３４と、
・別のステーションまたはアクセスポイントによって送信される信号の受信品質パラメータ２３５（たとえば、受信された信号の電力レベル、信号対ノイズ比）と、
・物理チャネルパラメータ２３６（たとえば、データが送付されたときの所定の周波数帯、所定の符号の割当て）とを備える。
【００４６】
図２、３を見ながら記載した以外の、アクセスポイント２および／またはステーション３の他の構造も、本発明に整合する。具体的には、変形形態によると、本発明に整合する基地局および／または移動端末は、純粋にハードウェアである実施形態により、たとえば、専用の構成要素（たとえば、ＡＳＩＣまたはＦＰＧＡまたはＶＬＳＩで）（それぞれ、「特定用途向け集積回路」、「フィールドプログラム可能ゲートアレイ」、「超大規模集積」）の、もしくは装置に統合されたいくつかの電子構成要素の形で、または、ハードウェア要素およびソフトウェア要素を混合した形で実装される。
【００４７】
無線インタフェース３６は、システム１のアクセスポイント１０またはステーション１１〜１４によって送信される信号の受信に適合する。インタフェース３７は、システム１のステーション１１〜１４またはアクセスポイント１０への信号の送信に適合する。
【００４８】
図９は、本発明の特に有利な非限定的実装例による、システム１のアクセスポイント１０によって実装されるデータ伝送方法を示している。
【００４９】
初期化ステップ９０の間、アクセスポイントの様々なパラメータがアップデートされる。具体的には、送信されるべき信号に対応するパラメータ、および信号に対応するサブキャリアに対応するパラメータが、任意のやり方で（たとえば、システム１には表さないサーバによって送信される初期化メッセージの受信に続いて、またはオペレータのコマンドによっても）初期化される。
【００５０】
次いで、ステップ９１の間、アクセスポイント１０は、第１の送信要求ＲＴＳを、１つまたは複数のステーション１１、１２、１３もしくは１４に送信する。この第１の送信要求は、第１の物理チャネルを介して送信される。概して、物理チャネルは、周波数帯およびタイムスロットにより特徴づけられる。ＣＤＭＡ（「符号分割多重アクセス」）アクセスの特定のケースでは、物理チャネルは、スペクトル拡散符号によっても特徴づけられる。有利なことに、第１のＲＴＳ要求は、第１の物理チャネルとは異なる第２の物理チャネルを介したデータ送信要求を表す情報を含む。第１および第２の物理チャネルは、有利なことに、異なる周波数帯の使用によって、および／または、異なるスペクトル拡散符号の使用によって、互いに区別される。
【００５１】
変形形態によると、第１のＲＴＳ要求は、第１および第２の物理チャネルを介した送信要求を表す情報を含む。
【００５２】
別の変形形態によると、第１のＲＴＳ要求は、並列した異なる多数の物理チャネル、たとえば、２つ、３つ、４つまたは５つの物理チャネルを介したデータ送信要求を表す情報を含む。
【００５３】
有利なことに、第２の物理チャネルを介して利用可能な伝送レートは、第１の物理チャネルを介して利用可能なレートより高く、たとえば、２倍、３倍、５倍または１０倍高い。
【００５４】
有利なことに、第１の物理チャネルは、周波数すべてが２．４または５ＧＨｚ帯域に属す周波数帯を使用するが、こうした帯域の一部は、ＩＳＭ（「工業、科学および医療」）帯域である。第２の物理チャネルは、周波数すべてが６０ＧＨｚ帯域に属す周波数帯を使用する。５ＧＨｚ帯域は、たとえば、周波数すべてが５．１５ＧＨｚと５．３５ＧＨｚの間、または、５．４７ＧＨｚと５．８７５ＧＨｚの間である周波数帯に対応する。５ＧＨｚ物理チャネルは、１０、２０または４０ＭＨｚ幅、たとえば、周波数すべてが、上述した周波数間隔の１つにあるチャネルに対応する。２．４ＧＨｚ帯域は、たとえば、周波数すべてが２．４ＧＨｚと２．５ＧＨｚの間である周波数帯に対応する。２．４ＧＨｚ物理チャネルは、２２ＭＨｚ幅、たとえば、周波数すべてが上述した周波数間隔（２．４〜２．５ＧＨｚ）内であるチャネルに対応する。６０ＧＨｚ帯域は、たとえば、周波数すべてが５７ＧＨｚと６６ＧＨｚの間である周波数帯に対応する。６０ＧＨｚ物理チャネルは、２１６０ＭＨｚ幅、たとえば、周波数すべてが上述した周波数間隔（５７〜６６ＧＨｚ）内であるチャネルに対応する。６０ＧＨｚ周波数帯の幅は、２．４ＧＨｚまたは５ＧＨｚ周波数帯幅より高いので、６０ＧＨｚで利用可能な伝送速度は、２．４ＧＨｚまたは５ＧＨｚで利用可能な速度より高い。
【００５５】
変形形態によると、第１の物理チャネルおよび第２の物理チャネルは、周波数すべてがＥＨＦタイプであるとともに、たとえば、６０ＧＨｚ帯域に属す周波数帯を使用する。変形形態によると、複数の６０ＧＨｚ周波数帯は、相異なるものである。別の変形形態によると、こうした複数の周波数帯は同一であり、ＣＤＭＡアクセスのケースでは、第１の物理チャネルおよび第２の物理チャネルは、それぞれ、異なる第１のスペクトル拡散符号および第２のスペクトル拡散符号の使用によって区別される。
【００５６】
有利なことに、第１の物理チャネルは、周波数すべてが３０ＧＨｚ未満である周波数帯を使用する。第２の物理チャネルは、周波数すべてが３０ＧＨｚより大きく、３００ＧＨｚより低い周波数帯を使用し、３０ＧＨｚと３００ＧＨｚの間の周波数帯は、極高周波スペクトル（ＥＨＦ）として指定される。変形形態によると、第１の物理チャネルに使用される周波数は、超高周波数（ＵＨＦ、すなわち周波数が３００ＭＨｚと３ＧＨｚの間）のスペクトルに、または、極超高周波数（ＳＨＦ、すなわち周波数が３ＧＨｚと３０ＧＨｚの間）のスペクトルに属す。
【００５７】
変形形態によると、第２の送信要求ＲＴＳは、第２の物理チャネルを介して送信される。有利なことに、この第２の要求ＲＴＳは、第１の物理チャネルを介して送信される第１の要求ＲＴＳと同時に送信される。別の変形形態によると、１つまたは複数の送信要求が、第１のＲＴＳ要求の後に第２の物理チャネルを介して送信される。
【００５８】
別の変形形態によると、いくつかの第１のＲＴＳ要求が、定期的間隔で第１の物理チャネルを介して送信され、または、ランダムな時間間隔により分離される。
【００５９】
特定の実装形態の例によると、少なくとも１つの第１のＲＴＳ要求および／または少なくとも１つの第２のＲＴＳ要求は、ステーション１１〜１４の少なくとも１つによって、少なくとももう１つのステーション１１〜１４に、および／または、アクセスポイント１０に送信される。
【００６０】
次いで、ステップ９２の間、第１の送信要求ＲＴＳの受信側であるとともに第１のＲＴＳ要求を受信済みであるステーション１１〜１４は、第１の物理チャネルを介してアクセスポイント１０に第１の送信合意（または「許可」）ＣＴＳ１を送信し、このＣＴＳ合意は次いで、第１の物理チャネルを介してアクセスポイント１０によって受信される。この第１の送信合意は有利なことに、受信側ステーションも、第２の物理チャネルを介して送信されたデータを受信することができる場合、アクセスポイントが第２の物理チャネルを介してデータを送信することを許す情報を含む。たとえば、第２の物理チャネルが、図１に示す例により、たとえば、６０ＧＨｚに属すＥＨＦ周波数帯を使用する場合、システム１のステーション１１のみが、６０ＧＨｚで送信されるデータを受信することができる。実際、ステーション１１のみが、アクセスポイント１０の直接見通し線上にあり、すなわち、どの物理的障害もステーション１１をアクセスポイント１０から隔てず、ステーション１１は、アクセスポイント１０から１０ｍ未満の距離にあり、たとえば、ステーション１１は、アクセスポイント１０から２ｍまたは５ｍに等しい距離にある。他のステーション１２〜１４は、第１の物理チャネルを介して送信された第１の要求ＲＴＳ１および／または第１の合意ＣＴＳ１を受信済みであるが、こうした制御フレームＲＴＳ１／ＣＴＳ１の少なくとも１つで指示された時間内は、送信するのを控える。
【００６１】
有利なことに、第２の送信合意ＣＴＳ２が、第１の物理チャネルを介した第１の合意ＣＴＳ１の送信と同時に、第２の物理チャネルを介して、ＲＴＳの受信側ステーションによって送信される。したがって、第１の合意ＣＴＳ１は、アクセスポイントが、第１の物理チャネルを介してデータを送信することを許す情報を含み、第２の合意ＣＴＳ２は、アクセスポイントが、第２の物理チャネルを介してデータを送信することを許す情報を含む。変形形態によると、第１の合意ＣＴＳ１は、アクセスポイントがデータを送信することを許す情報を含まず、アクセスポイント１０による第１の合意ＣＴＳ１の唯一の受信は、第１の物理チャネルを介してデータを送信するための認可と等価である。同様に、第２の合意ＣＴＳ２は、アクセスポイントがデータを送信することを許す情報を含んでおらず、アクセスポイント１０による第２の合意ＣＴＳ２の唯一の受信は、第２の物理チャネルを介してデータを送信するための認可と等価である。
【００６２】
図９に示されていない変形形態によると、ステップ９２はステップ９１にループバックし、ステップ９１は次いで、アクセスポイント１０を介したステーション１１への第２の送信要求ＲＴＳ２の送信で繰り返される。この第２の要求ＲＴＳ２は、アクセスポイント１０が第２の物理チャネルを介してデータを送信することを許す、第１の物理チャネルを介したアクセスポイント１０による第１の合意ＣＴＳ１の受信の後で送信される。第２の要求ＲＴＳ２は、第２の物理チャネルを介して送信され、第２の物理チャネルを介したデータ送信要求である。変形形態によると、第２の要求ＲＴＳ２は、第２の物理チャネルを介した第２の合意ＣＴＳ２の、アクセスポイント１０による受信の後で、アクセスポイント１０によって送信される。ステップ９２の間、第２の要求ＲＴＳ２の受信側ステーションは次いで、第２の要求が受信側ステーションによって実際に受信済みである場合、第２のチャネルを介して送信合意ＣＴＳを送信する。別の変形形態によると、２つのＲＴＳ要求が、繰り返されたステップ９１の間に同時に送信されるが、一方は、第１のチャネルを介した送信合意を要求するために第１のチャネルを介して送信され、一方は、第２のチャネルを介した送信合意を要求するために第２のチャネルを介して送信される。ステップ９２の間、２つのＣＴＳ合意が送信されるが、２つのチャネルの一方および／または他方で受信条件が満たされる場合、一方は第１のチャネルを介し、他方は第２のチャネルを介して送信される。
【００６３】
最後に、ステップ９３の間、アクセスポイント１０は、第１の送信合意ＣＴＳ１の受信の後、受信側ステーション、たとえば、システム１のステーション１１にデータを送信する。第１の合意ＣＴＳ１は、アクセスポイントが第２の物理チャネルを介して送信することを許すので、データは、第２の物理チャネルを介して送信される。第２の物理チャネルは、ＥＨＦ周波数帯、たとえば６０ＧＨｚを使用するので、このチャネルを介したデータの伝送は、５ＧＨｚ周波数帯を使用する第１の物理チャネルを介した伝送より高いビットレートをもつという利点を与える。ＥＨＦ周波数帯を介して達成されるビットレートは通常、送信側アクセスポイントと受信側ステーションとを、２ｍと１０ｍの間で隔てられた距離に亘っており、１．５Ｇビット／ｓと６Ｇビット／ｓとの間である。伝送速度利得は、５ＧＨｚ周波数帯の場合よりも５〜１０倍大きい可能性がある。第１の合意ＣＴＳ１が、アクセスポイントが第２の物理チャネルを介して送信することを許さないケースでは、有利な変形形態によると、アクセスポイント１０は、第１の物理チャネルを介してデータを送信する。
【００６４】
変形形態によると、アクセスポイント１０は、第１および第２の物理チャネルを介したデータの伝送を可能にする少なくとも１つの送信合意の受信の後、または、第１のチャネルを介したデータの伝送を可能にする第１の物理チャネルを介した第１の送信合意の受信および第２のチャネルを介したデータの伝送を可能にする第２の物理チャネルを介した第２の送信合意の受信の後、第１および第２の物理チャネルを介して並列にデータを送信する。有利なことに、第１および第２の物理チャネルを介して送信されるデータは、有用なデータ、すなわちアクセスポイント１０によって送信されることになる実際のデータ（たとえば、テキスト、画像、オーディオおよび／もしくはビデオタイプ、または、より全般的にはマルチメディアのアプリケーションデータ）である。このソリューションは、２つの物理チャネルおよびビットレートにより与えられる、帯域幅の使用を最適化するという利点をもたらす。変形形態によると、第２の物理チャネルを介して送信されるデータのみが有用データであり、第１のチャネルを介して送信されるデータは、第１の物理チャネルを占有するために送信されるダミーデータである。この変形形態は、チャネルを予約しておらず、チャネルを探した後でデータを送信するための、アクセスポイント１０およびステーション１１によって送信されるＲＴＳ／ＣＴＳを送付することができないであろうどのステーションもアクセスポイントも回避するという利点をもたらす。別の変形形態によると、第２の物理チャネルを介して送信されるデータのみが有用データであり、第１のチャネルを介して送信される占有信号は、第１の物理チャネルを占有するために送信されるダミーデータに対応する。このソリューションは、チャネルを占有し、したがってこのチャネルを介した別のアクセスポイントまたは別のステーションによるトランザクションの初期化を回避するという利点をもたらし、それとともに送信周期の時間を削減する（たとえば、９μｓ間の送信および２５μｓ間の沈黙）ことによって電力消費を制限する。
【００６５】
ある特定の実装形態によると、データの一部分は第１の物理チャネルを介して、他の部分は第２の物理チャネルを介して送信される。有利なことに、第１のチャネルを介して送信されるデータ部分は、その優先レベルが第２の物理チャネルを介して送信されるデータの優先レベルより高いものである。たとえば、各データパケットの先頭は第１の物理チャネルを介して送信され、より低い優先レベルをもつパケットの残りは、第２の物理チャネルを介して送信される。階層的に符号化されたデータ（たとえば、画像および／またはオーディオ）を実装する別の例によると、最も高い優先度により符号化されたデータは、第１の物理チャネルを介して送信され、より低い優先レベルにより符号化されたデータは、第２の物理チャネルを介して送信される。こうした実装例によると、優先レベルが最も高いデータは、５ＧＨｚ周波数帯を使用する最も堅牢な物理チャネルを介して伝送し、優先度が低い方のデータはＥＨＦ周波数帯を使用するので堅牢性が低い方の第２の物理チャネルを介して伝送するという利点をもたらす。送信されるデータを失う危険性はしたがって、第２のチャネルよりも第１のチャネルにおいて低くなる。
【００６６】
図１０は、本発明の特に有利な非限定的実装例による、システム１のアクセスポイント１０によって実装されるデータ伝送方法を示している。
【００６７】
ステップ９０、９１、９２、９３は、図９に関して上述したものと同じであり、同じ参照番号を有する。
【００６８】
ステップ９２が終わると、すなわち、アクセスポイント１０による、第１の物理チャネルを介した少なくとも１つの第１の合意ＣＴＳ１、および／または、第２の物理チャネルを介した少なくとも１つの第２の合意ＣＴＳ２の受信の後で、アクセスポイントは、ステップ１０１の間、受信したＣＴＳ合意（１つまたは複数）に対して品質テストを実施して、物理チャネルそれぞれを介したデータ伝送の品質を評価する。データ伝送の品質は、任意の１つまたは複数の方法により、たとえば、後で示す変形形態の１つまたは複数により推定される。第１の変形形態によると、品質評価は、ＣＴＳ内容の分析と、ＣＴＳが全体的に、およびＦＣＳ（「フレーム検査シーケンス」）フィールドとして知られている、ＣＴＳフレームのフィールドを分析することによりエラーなしで受信されているという確認とを含む。有利なことに、伝送の品質は、ＣＴＳを含む受信信号の電力レベルを算出することにより推定される。別の変形形態によると、伝送の品質は、信号対ノイズ比を測定することにより推定される。別の変形形態によると、伝送の品質は、当業者に公知であるどの方法によっても、たとえば、ビタビメトリックタイプの品質インジケータ、ＢＥＲ（「ビットエラーレート」）もしくはＦＥＲ（「フレームエラーレート」）の評価を分析することにより、または、ＣＴＳプリアンブルを分析することでチャネルを評価することにより推定される。チャネルそれぞれに対するＣＴＳ伝送品質評価の結果により、アクセスポイント１０は、最も高い伝送品質をもつチャネルを介したデータ伝送を行う。変形形態によると、アクセスポイントは、Ｓ／Ｎ比が予め定められた閾値より大きいこと、受信された信号の電力レベルが予め定められた閾値より大きいこと、または、ＣＴＳがそれを介して受信されたチャネルそれぞれに関して、ＢＥＲが予め定められた閾値未満であることも確かめる。適用可能な場合、アクセスポイント１０は次いで、所定の閾値より大きい伝送品質をもつチャネル（１つまたは複数）を介してデータを伝送する。変形形態によると、伝送品質の推定は、２つのチャネルの一方、すなわち第１または第２のチャネルに対してのみ行われる。
【００６９】
ステップ１０１が終わると、データ伝送に関連するステップ９３が実装される。ステップ９３は、図９を参照して記載したものと同一である。変形形態によると、データの伝送は、ステップ１０１で実施された品質評価に従い、たとえば、チャネルの一方および／または他方に対して評価された伝送品質の結果により物理チャネルの一方および／または他方を介したデータの伝送を奨励することで実行される。
【００７０】
上記のステップ９３の間に実施されるデータ伝送が終わると、ステーション１１によるデータ受信を表す情報を含むＡＣＫタイプの受信確認が、ステーション１１によって送信され、アクセスポイント１０によって送信されたデータが、受信側ステーション１１によって全体的に受信されている場合、任意選択のステップ１０２の間にアクセスポイントによって受信される。有利なことに、受信確認ＡＣＫは、第１の物理チャネルを介して送信されて、第１の物理チャネルを介して、および／または、第２の物理チャネルを介して送信されたデータの受信を確認する。変形形態によると、第１の受信確認ＡＣＫ１は、第１の物理チャネルを介してステーション１１によって送信されて、第１の物理チャネルを介して送信されたデータの受信を確認する。第２の受信確認ＡＣＫ２は、第２の物理チャネルを介して送信されて、第２の物理チャネルを介して送信されたデータの受信を確認する。変形形態によると、受信確認ＡＣＫは、第１の物理チャネルを介した、および／または第２の物理チャネルを介したデータの非受信（またはデータの部分的受信）を表す情報を含む。有利なことに、データが、第２の物理チャネルを介して送信されている場合、およびこのデータの受信確認ＡＣＫが、データ送信の終了後の所定時間（たとえば、４０μｓ）の満了前にアクセスポイント１０によって受信されない場合、ステーション１１によって受信されていないデータは、アクセスポイントによって第１の物理チャネルを介して再送信される。変形形態によると、データの非受信を表す情報を含む受信確認ＡＣＫがアクセスポイントによって受信された場合、データは、第１の物理チャネルを介して再度送信される。変形形態によると、非受信データは、第２の物理チャネルを介して再度送信される。別の変形形態によると、非受信データは、第１の物理チャネルを介して、および第２の物理チャネルを介して再度送信され、優先レベルが最も高いデータが、最も堅牢なチャネル、たとえば第１の物理チャネルを介して送信される。
【００７１】
図７は、本発明の特に有利な非限定的実装例による、送信要求ＲＴＳのフレームの内容を図式的に示している。
【００７２】
ＲＴＳフレーム７は有利なことに、標準ＩＥＥＥ８０２．１１−２００７に準拠する。たとえば、１６ビット長の「ＩＤ持続期間」フィールド７１は、アクセスポイント１０によるフレーム伝送のための物理チャネルの予約持続期間の値を表す情報を含む。この持続期間は、図４、５、６に示すようなＮＡＶネットワーク（ネットワーク割当てベクトル）４０４、５０３、６０３の割当てベクトルの時間的長さに対応する。たとえば、４８ビット長の、ＲＴＳフレームのフィールドＲＡ７２は、ステーション１１〜１４のアドレス、アクセスポイント１０によって送信されるデータの宛先および制御フレームを表す情報を含む。たとえば、４８ビット長のＴＡフィールド７３は、ＲＴＳフレーム７を送信するアクセスポイントまたはステーションのアドレスを表す情報を含む。たとえば、２４または３２ビット長のＦＣＳフィールド（フレーム検査シーケンス）７５は、エラー訂正および検出に使用されるチェックサム）またはＣＲＣ（巡回冗長検査）のキャラクタを表す情報を含む。たとえば１６ビット長のフレーム制御フィールド７０は、複数のフィールドに下位分割される。フィールド７０は、特記すべきこととして、データの交換に使用されるプロトコルのバージョンを表す情報を含むフィールド７０１を含む。また、ＲＴＳ用のフレームのタイプ、すなわち制御フレームを表す情報を含むフィールド７０２も含む。フィールド７０３は、フレームのサブタイプ、たとえば、具体的フレーム本体を有するフィールド７４を含む、たとえば修正ＲＴＳを表す情報を含む。最後に、ＲＴＳフレーム７は、修正ＲＴＳフレームに固有の情報を含むフィールド７４を含む。フレーム７４は、複数のフィールドに下位分割される。フレーム７４は、アクセスポイント１０がそれを介してデータを伝送することを望む第２のチャネルの数、たとえば、２つの６０ＧＨｚチャネルを表す情報を含むフィールド７４１を含む。フィールド７４２、７４３は、アクセスポイントがそれを介したデータの伝送を求める第２のチャネルが何であるか識別する。最後に、フィールド７４４は、ＲＴＳがそれを介して送信される第１のチャネルを介した、たとえば５ＧＨｚでの伝送が、アクセスポイントによって要求されるかどうかを示している。「フレーム制御」フィールド７０、「ＩＤ持続期間」７１、ＲＡ７２およびＴＡ７３は、ＭＡＣヘッダー（メディアアクセス制御）を形成する。
【００７３】
変形形態によると、ＲＴＳフレーム７は、第１のチャネルを介した伝送がその中で求められるどのフィールドも含んでいない。第１のチャネルを介したフレームの伝送のみが、この第１のチャネルにおけるデータ送信要求と等価である。
【００７４】
別の変形形態によると、フィールド７４１中で識別される第２のチャネルの数は、１、２、３または４つのチャネルである。したがって、第２のチャネルを識別するフィールド７４２、７４３の数は、１、２、３または４つのフィールドである。
【００７５】
有利なことに、ＲＴＳフレーム７は、別の制御フレーム、通常はＲＴＳ制御フレーム７を移送するのに用いられる標準ＩＥＥＥ８０２．１１ｎにおいて定義される制御ラッパーフレームに統合される。このような統合の利点は、標準ＩＥＥＥ８０２．１１ｎに準拠するノードが、このようなフレームの復号に適しており、したがってネットワーク割当てベクトルＮＡＶの位置決めに適していることである。
【００７６】
図８は、本発明の特に有利な非限定的実装例による送信合意ＣＴＳのフレームの内容を図式的に示している。
【００７７】
ＣＴＳフレーム８は有利なことに、標準ＩＥＥＥ８０２．１１−２００７に準拠する。たとえば１６ビット長の「ＩＤ持続期間」フィールド８１は、アクセスポイント１０によるフレーム伝送のための物理チャネルの予約持続期間の値を表す情報を含む。この持続期間は、図４、５、６に示したＮＡＶネットワークの割当てベクトル（ネットワーク割当てベクトル）４０４、５０３、６０３の時間的長さに対応する。たとえば４８ビット長のフレームＣＴＳのフィールドＲＡ８２は、ＣＴＳフレームがそれに対する応答であるＲＴＳフレームを直ちに進めるＲＴＳフレームのＴＡフィールドからコピーされる。ＣＴＳフレームがフレームの交換において最初のフレームである場合、ＲＡフィールド８２は、送信側、たとえばアクセスポイント１０のＭＡＣアドレスで埋められる。たとえば２４または３２ビット長のＦＣＳフィールド（フレーム検査シーケンス）８４は、エラー訂正および検出に使用されるチェックサム）またはＣＲＣ（巡回冗長検査）のキャラクタを表す情報を含む。たとえば１６ビット長のフレーム制御フィールド８０は、複数のフィールドに下位分割される。フィールド８０は、特記すべきこととして、データの交換に使用されるプロトコルのバージョンを表す情報を含むフィールド８０１を含む。また、ＣＴＳ用のフレームのタイプ、すなわち制御フレームを表す情報を含むフィールド８０２も含む。フィールド８０３は、たとえば、フレームのサブタイプ、たとえば、具体的フレーム本体を有するフィールド８３を含む修正ＣＴＳを表す情報を含む。最後に、ＣＴＳフレーム８は、修正ＣＴＳフレームに固有の情報を含むフィールド８３を含む。フレーム８３は、複数のフィールドに下位分割される。フレーム８３は、たとえば、第１のチャネルを介したデータ伝送認可または拒絶を表す情報を含むフィールド８３１を含む。フィールド８３２に関しては、たとえば、第２のチャネルを介したデータ伝送認可または拒絶を表す情報を含む。変形形態によると、フィールド８３は、伝送がそれを介して求められるチャネル、たとえば、１、２、３または４つのチャネルと同じ数のフィールドに下位分割される。
【００７８】
図４は、本発明の特に有利な非限定的実装例による、システム１のアクセスポイント１０とステーション１１〜１４との間で実装されるフレーム交換の第１の例を示している。
【００７９】
標準ＩＥＥＥ８０２．１１−２００７において実装されるような、（たとえば、ＤＣＦ、すなわち分散調整機能タイプの）ＣＳＭＡ／ＣＡタイプの競合アクセスモードでは、データがそれを介して送信されるチャネルの予約は、ＲＴＳ／ＣＴＳフレームの交換によって実施される。ステーション１１〜１４に向けられたどのデータ伝送の前にも、ソースアクセスポイント１０は、たとえば５ＧＨｚ周波数帯（または２．４ＧＨｚ）を使用する第１の物理チャネルを分析して、第１の物理チャネルがシステム１のステーションによって、または、別のアクセスポイントによって使用されるのか判定する。アクセスポイントがそれを介してＲＴＳフレームを送信することを望む第１の物理チャネル上でデータフレーム４００が検出された場合、アクセスポイントは、第１の物理チャネル上で再度送信する前に、「バックオフ」アルゴリズムにより定められた時間（たとえば、２５μｓ（ＤＩＦＳの持続期間）＋Ｎ＊９μｓ（スロットの持続期間）であるが、ここでＮは、標準ＩＥＥＥ８０２．１１−２００７によると、１５と１０２３の間のランダムな値である）だけ待つ。物理チャネルが空いていることをアクセスポイントが検出すると、アクセスポイント１０は、ＲＴＳ要求の伝送を開始する。ＲＴＳ要求を送信する前に、アクセスポイント１０は、予め定められた最小時間ＤＩＦＳ（ＤＣＦフレーム間空間）（たとえば、標準ＩＥＥＥ８０２．１１ａ／ｎによると２５μｓ）だけ待ち、次いで、「バックオフ」時間として知られるランダムな時間間隔４０１だけ待ち、こうすることによってチャネルへのアクセスにおける衝突が最小限にされ得る。アクセスポイントはこのように、第１の物理チャネルを介してＲＴＳ１要求４０２を送信する。ＲＴＳ１要求４０２は、たとえば、６０ＧＨｚ周波数帯を使用する第２の物理チャネルを介したデータ送信要求をさらに含む、ステーション１１〜１４によって（すなわち、標準ＩＥＥＥ８０２．１１−２００７に準拠する任意のノードによって）理解可能なＲＴＳフレームである。ＲＴＳ１要求４０２は、システム１のステーション１１に向けられる。ＲＴＳ１要求４０２は、そのＭＡＣヘッダー中に、チャネルの予約持続期間情報を含む。データの交換に関係しないステーション１２〜１４は、この持続期間を記録して、フレームＡＣＫ４０６の末尾に対応する、最終交換が起こる予定の時間を判定する。この時間間隔中、データ交換に関係しないステーション１２〜１４は、チャネルへのアクセスを試みない。残っているタイムスロット、すなわちフレームＲＴＳ１  ４０２、ＣＴＳ１  ４０３、ＡＣＫ４０６およびＳＩＦＳ間隔の持続期間が差し引かれた予約持続期間が、ＮＡＶベクトル４０４（ネットワーク割当てベクトル）として知られる、データの交換のための残っている持続期間となる。ステーション１１は、予め定められた時間ＳＩＦＳ（短フレーム間空間）（たとえば、標準ＩＥＥＥ８０２．１１ａ／ｎによると１６μｓ）後に送信許可（または、繰り返しになるが送信合意とも呼ばれる）ＣＴＳ１  ４０３によってＲＴＳ１要求４０２に応答する。ステーション１１は、アクセスポイント１０から１０メートル未満の距離にあり、アクセスポイントからの直接見通し線上���あるので、ステーション１１は次いで、合意ＣＴＳ１  ４０３を送信する。合意ＣＴＳ１  ４０３は、５ＧＨｚ周波数帯（または２．４ＧＨｚ）を使用する第１の物理チャネル上で送信され、その結果、システム１のステーション（アクセスポイントから１０ｍより離れているとともに非見通し線ＮＬＯＳ上にあるステーションを含む）はすべて、このＣＴＳ合意を受信することができる。合意ＣＴＳ１  ４０３は、たとえば、６０ＧＨｚ周波数帯を使用する第２の物理チャネルを介してアクセスポイント１０がデータを伝送することを認可する情報をさらに含む、ステーション１１〜１４によって（すなわち、標準ＩＥＥＥ８０２．１１−２００７に準拠する任意のノードによって）認識可能なＣＴＳフレームである。有用データ４０５は次いで、第１の物理チャネル５ＧＨｚのものよりビットレートがほぼ１０倍大きい６０ＧＨｚで第２の物理チャネルを介して送信される。データが受信側ステーション１１によって受信されると、ステーション１１は、第１の物理チャネル上でデータ受信確認ＡＣＫ４０６を送信する。ＡＣＫ４０６フレームは有利なことに、第２の物理チャネル上で送信されたデータの完全受信を表す情報を含む。ＡＣＫフレーム４０６が第１の物理チャネルを介して送信されると、第１の物理チャネルは次いで、別のフレーム伝送４０７用にクリアになる。
【００８０】
変形形態によると、ＲＴＳ１要求４０２は、第１および第２の物理チャネルを介して、データを送信するための認可要求を表す情報を含む。第１の物理チャネルを介して送信されるＣＴＳ１合意４０３は有利なことに、ＲＴＳ１要求４０２に応答して、第１の物理チャネルを介した、および第２の物理チャネルを介した送信合意を含む。データ４０５の一部、すなわち少なくとも１つのデータパケットが次いで、第２の物理チャネルを介して送信され、それ以外の部分は、第１の物理チャネルを介して送信される。第１の物理チャネルを介して送信されるデータは有利なことに、第２の物理チャネルを介して送信されるものより高い優先レベルをもつ。変形形態によると、フレームＡＣＫ４０６は、第１の物理チャネル上で受信されたデータの受信確認に関連する情報、および第２の物理チャネル上で受信されたデータの受信確認に関連する情報を含む。別の変形形態によると、フレームＡＣＫ４０６は、第１のチャネルおよび／または第２のチャネルそれぞれにおけるデータの不良受信のケースでは、第１の物理チャネルを介して送信されたデータの非受信もしくは部分的受信を表す情報および／または第１の物理チャネルを介して送信されたデータの非受信もしくは部分的受信を表す情報を含む。
【００８１】
有利なことに、合意ＣＴＳ１  ４０３は、ＲＴＳ１要求４０２の受信側ステーションが第２の物理チャネル上でのデータの受信に適さない場合、第２の物理チャネル上でのデータ送信認可拒絶を表す情報を含む。このデータは次いで、第１の物理チャネル上で送信される。
【００８２】
図５は、本発明の特に有利な非限定的実装例による、システム１のアクセスポイント１０とステーション１１〜１４との間で実装されるフレーム交換の第２の例を示している。
【００８３】
ステーション１１〜１４に向けられたどのデータ伝送前にも、ソースアクセスポイント１０は、たとえば５ＧＨｚ周波数帯（または２．４ＧＨｚ）を使用する第１の物理チャネルを分析して、第１の物理チャネルがシステム１のステーションによって、それとも別のアクセスポイントによって使用されるのか判定する。アクセスポイントがその上でＲＴＳ要求を送信することを望む第１の物理チャネル上でデータフレーム５００が検出された場合、アクセスポイントは、第１の物理チャネル上で再度送付する前に、所定時間（たとえば、標準ＩＥＥＥ８０２．１１−２００７によると、２５μｓに対応する２０５μｓ（ＤＩＦＳ）＋バックオフの残っている時間（たとえば、２０×９μｓ）））だけ待つ。物理チャネルが空いていることをアクセスポイントが検出すると、アクセスポイント１０は、ＲＴＳ要求の伝送を開始する。ＲＴＳ要求の伝送の前に、アクセスポイント１０は、予め定められた最短時間ＤＩＦＳ（たとえば、標準ＩＥＥＥ８０２．１１ａ／ｎによると２５μｓ）だけ待ち、次いで、「バックオフ」時間という名称で知られているランダムな時間間隔４０１だけ待つ。アクセスポイントはこのように、第１の物理チャネルを介してＲＴＳ１要求５０２を送信する。ＲＴＳ１要求５０２は、たとえば、６０ＧＨｚ周波数帯を使用する第２の物理チャネルを介したデータ送信要求をさらに含む、ステーション１１〜１４により（すなわち、標準ＩＥＥＥ８０２．１１−２００７に準拠する任意のノードによって）認識可能なＲＴＳフレームである。有利なことに、ＲＴＳ１要求５０２は、第１の物理チャネルを介したデータ送信要求も含む。変形形態によると、ＲＴＳ１要求５０２は、第１の物理チャネルを介した、いかなる明示的データ送信要求も含まず、第１の物理チャネル上でのＲＴＳ１フレームの伝送は、受信側ステーションによって、第１の物理チャネル上での暗黙的データ送信要求として理解される。ステーション１１は、予め定められた時間ＳＩＦＳ（たとえば、標準ＩＥＥＥ８０２．１１ａ／ｎによると１６μｓ）後に第１の物理チャネルを介して送信される送信合意ＣＴＳ１  ５０４によって、および、第２の物理チャネルを介して送信されるＣＴＳ２合意５０５によって、ＲＴＳ１要求５０２に応答するが、ステーション１１は、第１および第２の物理チャネル上でデータを受信するのに適している。ＲＴＳ１要求５０２は、５ＧＨｚで（または２．４ＧＨｚで）第１の物理チャネルを介して送信されるので、ステーション１２〜１４はすべて、要求５０２を受信し、少なくとも部分的に復号して、チャネルのＮＡＶ予約ベクトル５０３を位置決めする。変形形態によると、一部のステーション１２〜１４は、合意ＣＴＳ１を受信し、ＲＴＳ１要求は受信しない。チャネルの予約中、ステーション１２〜１４はしたがって、どの送信要求も送信しない。第１の物理チャネル上でＣＴＳ１  ５０４を受信すると、アクセスポイントは、データの一部分５０６、すなわち少なくとも１つのデータパケットを、ステーション１１に向けて第１の物理チャネルを介して送信する。第２の物理チャネル上でＣＴＳ２  ５０５を受信すると、アクセスポイントは、データの一部分５０７、すなわち少なくとも１つのデータパケットを、ステーション１１に向けて第２の物理チャネルを介して送信する。第１の物理チャネルを介した送信データ５０６がステーション１１によって受信されると、ステーション１１は、データ５０６が完全に、かつ第１のチャネル上でエラーなしで受信されている場合、第１の物理チャネル上でデータＡＣＫ１  ５０８の受信確認を送信する。データが受信されていない、または部分的に受信されているか、もしくはエラーありで受信されている場合、ステーション１１は、受信確認を送信せず、または第１のチャネルを介して送信されたデータの非受信の代表的情報を含む受信確認ＡＣＫ５０８を第１の物理チャネルを介して送信する。第２の物理チャネルを介した送信データ５０７がステーション１１によって受信されると、ステーション１１は、データ５０７が完全に、および第１のチャネル上でエラーなしで受信されている場合、第２の物理チャネルを介してデータＡＣＫ２  ５０９の受信確認を送信する。データが受信されていない、または部分的に受信されているか、もしくはエラーありで受信されている場合、ステーション１１は、受信確認を送信せず、または、第２のチャネルを介して送信されたデータの非受信の代表的情報を含む受信確認ＡＣＫ２  ５０９を第２の物理チャネルを介して送信する。アクセスポイント１０によってフレームＡＣＫ１  ５０８が受信されると、メディア５１０が次いで、新規フレーム伝送用にクリアになる。
【００８４】
変形形態によると、ステーション１１は単に、第１および第２の物理チャネルを介して送信されたデータの受信を確認するための受信確認ＡＣＫ１  ５０８を送信する。
【００８５】
有利なことに、第１の物理チャネルを介して送信されるデータ５０６は、第２の物理チャネルを介して送信されるものより高い優先レベルをもつ。変形形態によると、第２の物理チャネル上でのデータの非受信のケースでは、データは第１の物理チャネルを介して送信される。
【００８６】
第１の物理チャネルを介したＣＴＳ１  ５０４の送信および第２の物理チャネルを介したＣＴＳ２  ５０５の送信には、アクセスポイント１０によって、第１および第２の物理チャネルを介したデータの伝送品質を評価することができるという利点がある。物理チャネルそれぞれにおいて利用可能な伝送品質の評価の後、アクセスポイントは、第１の物理チャネルを介した伝送、第２の物理チャネルを介した伝送、または、両方を並列にした伝送を決める。
【００８７】
ある特定の実施形態によると、ステーション１２は、合意ＣＴＳ２を受信しておらず、または、低電力レベルで受信しており、ステーション１１およびアクセスポイント１０以外のシステムのノードの１つにデータを送信することを望んでいるが、たとえば、第２の物理チャネルによって使用される６０ＧＨｚでの別の周波数帯を使用する物理チャネルを介してデータを送信する。ステーション１２は合意ＣＴＳ２を受信していないので、アクセスポイント１０によってステーション１１に送信されるデータと、この６０ＧＨｚの周波数帯中で送信されるデータを受信することが可能な別のノードにステーション１２によって送信されるデータとの間の衝突の危険性は、特に低い。ステーション１２によるデータの送信は有利なことに、ＲＴＳ／ＣＴＳフレームの交換により進められる。変形形態によると、ステーション１２によるデータの送信は、ＲＴＳ／ＣＴＳフレームの交換なしで実施される。
【００８８】
図６は、本発明の特に有利な非限定的実装例による、システム１のアクセスポイント１０とステーション１１〜１４との間で実装されるフレーム交換の第３の例を示している。
【００８９】
ステーション１１〜１４に向けられたどのデータ伝送の前にも、ソースアクセスポイント１０は、たとえば５ＧＨｚ周波数帯（または２．４ＧＨｚ）を使用する第１の物理チャネルを分析して、このチャネルがシステム１のステーションにおいて、それとも別のアクセスポイントによって使用されるのか判定する。アクセスポイントがその上でＲＴＳ要求を送信することを望む第１の物理チャネル上でデータフレーム６００が検出された場合、アクセスポイントは、第１の物理チャネル上で再度送付する前に、所定時間（たとえば、２５μｓ（ＤＩＦＳの持続期間）＋Ｎ×９μｓ（スロットの持続期間）であり、ここでＮは、標準ＩＥＥＥ８０２．１１−２００７によると、１５と１０２３の間のランダム値である）だけ待つ。物理チャネルがクリアであることをアクセスポイントが検出すると、アクセスポイント１０は、ＲＴＳ要求の伝送を開始する。ＲＴＳ要求の伝送の前に、アクセスポイント１０は、予め定められた最短時間ＤＩＦＳ（たとえば、標準ＩＥＥＥ８０２．１１ａ／ｎによると２５μｓ）だけ待ち、次いで、「バックオフ」時間という名称で知られている、ランダムな時間間隔６０１だけ待つ。アクセスポイントはこのように、第１の物理チャネルを介してＲＴＳ１要求６０２を送信する。ＲＴＳ１フレーム６０２は有利なことに、第２の物理チャネルを介したデータ送信要求、および変形形態によると第１の物理チャネルを介したデータ送信要求を含む。ＲＴＳ１要求６０４を受信すると、受信側ステーションは、アクセスポイントが第２の物理チャネルを介してデータを送信することを認可する送信合意ＣＴＳ１  ６０４を、第１の物理チャネルを介して送信する。第２の物理チャネルを介してデータを伝送する前に、アクセスポイントは、第２の物理チャネルを介して送信要求を送付して、データを送信する前に第２のチャネルの可用性をテストする。実際、第２の物理チャネル上で通信を確立するよう求められる条件が、ステーション１１によるＣＴＳ１  ６０４の送付と、アクセスポイント１０によるデータの伝送との間で変わっている可能性がある。ステーション１１が、依然として第２の物理チャネル上でデータを受信することができる場合、ステーション１１は、第２の物理チャネルを介して送信合意ＣＴＳ２  ６０６を送信する。アクセスポイントは次いで、第２の物理チャネルを介してデータ６０７を送信する。このデータが、ステーション１１によって完全に、およびエラーなしで受信されると、ステーション１１は、第１の物理チャネルを介してデータ受信確認ＡＣＫ６０８を送信する。メディア６０９は次いで、新規データ伝送用にクリアになる。
【００９０】
変形形態によると、予め定められた時間内での、第２のチャネルを介したＣＴＳ２合意の非受信のケースでは、第２の送信要求ＲＴＳ２が、アクセスポイントによって第２の物理チャネルを介して送信される。
【００９１】
有利なことに、アクセスポイントは、第２の物理チャネル上で送信される送信合意ＣＴＳ２  ６０６の受信を待つことなく、送信合意ＣＴＳ１  ６０４の受信から、第１のチャネルを介して伝送するために、データの一部分を送信する。変形形態によると、データの伝送が、第２のチャネル上で可能であることが分からない場合、送信するべきデータはすべて、第１の物理チャネルを介して送信される。
【００９２】
図１１は、本発明の特に有利な非限定的実装例による、ステーション１１〜１４またはシステム１のアクセスポイント１０に実装される通信管理方法を示している。
【００９３】
初期化ステップ１１０の間、ステーションの様々なパラメータがアップデートされる。具体的には、送信されるべき信号とそれに対応するサブキャリアに対応するパラメータとが、任意のやり方で（たとえば、システム１のアクセスポイントによって送信される初期化メッセージの受信に続いて、システム１に示されていないサーバによって、またはオペレータのコマンドによっても）初期化される。
【００９４】
次いでステップ１１１の間、ステーション１１が、第１の物理チャネルを介して、システム１のアクセスポイント１０または別のステーション１２〜１４によって送信された１つ（または複数）のＲＴＳ送信要求を受信する。送信要求は、第１の物理チャネルを介した、および／または第２の物理チャネルを介したデータ送信要求である。第２の物理チャネルは、その周波数すべてが３０ＧＨｚより大きく、３００ＧＨｚより低い周波数帯を使用し、３０と３００ＧＨｚの間の周波数帯は、極高周波スペクトル（ＥＨＦ）と指定される。第１および第２の物理チャネルは、周波数帯によって、およびＣＤＭＡのケースでは拡散符号によって特徴づけられる。第１および第２の物理チャネルは互いに異なり、すなわち、それぞれ異なる周波数帯を使用し、かつ／または、それぞれ異なる拡散符号を使用する。変形形態によると、送信要求は、第１および／または第２の物理チャネルに加えて、第３および／または第４の物理チャネルを介した１つまたは複数のデータ送信要求を含む。別の変形形態によると、いくつかのＲＴＳ要求は、第１の物理チャネルを介して送信される。変形形態によると、アクセスポイント１０は、ステーション１１〜１４によって送信される１つまたは複数の送信要求を受信する。
【００９５】
最後に、ステップ１１２の間、ＲＴＳ要求（１つまたは複数）を受信しているステーション１１が、ＲＴＳ要求（１つまたは複数）に応答して、第２の物理チャネルを介した１つまたは複数の送信合意ＣＴＳを送信する。アクセスポイントがそれを介してデータを送信することを望むチャネルそれぞれに対するアクセス条件が満たされる場合、送信合意は、利用可能チャネルそれぞれを介したデータの伝送を認可する。変形形態によると、第１の物理チャネル上で受信された複数のＲＴＳ要求に応答して、複数のＣＴＳ合意が、第２のチャネルを介して送信される。変形形態によると、第２の物理チャネルを介した１つまたは複数の送信合意ＣＴＳは、アクセスポイント１０によって送信される。
【００９６】
当然ながら、本発明は、上に記載した実施形態に限定されない。
【００９７】
具体的には、本発明は、単一のアクセスポイントを備えるシステムに限定されるものではなく、複数のアクセスポイントを備えるシステムにも拡張する。さらに、本発明は、標準ＩＥＥＥ８０２．１１−２００７に対応するＲＴＳ／ＣＴＳフレーム交換を伴うシステムに制限されるものではなく、ＣＳＭＡ／ＣＡタイプの（たとえば、ＤＣＦタイプの）チャネルへの競合アクセスを実装するどのシステム、たとえば、標準ＩＥＥＥ８０２．１５．４、標準ＩＥＥＥ８０２．１５．３または「High Rate Ultra Wideband PHY and MAC Standard」というタイトルで２００７年１２月に発行された標準ＥＣＭＡ−３６８に対応するＲＴＳ／ＣＴＳフレーム交換を伴うシステムにも拡張する。
【００９８】
変形形態によると、送信要求（複数の送信要求のそれぞれ）は、ステーションによって、別のステーションに向けて送信され、ＲＴＳ／ＣＴＳフレーム交換は、２つのステーションの間で、有利なことに第１の物理チャネル上で実施され、データは有利なことに、第２の物理チャネルを介して送信される。
【００９９】
別の変形形態によると、送信要求（複数の送信要求のそれぞれ）は、アクセスポイントによって、別のアクセスポイントに向けて送信され、ＲＴＳ／ＣＴＳフレームの交換は、２つのアクセスポイントの間で、有利なことに第１の物理チャネル上で実施される。
【０１００】
有利なことに、複数の第１の送信要求は、第１の物理チャネルを介して定期的間隔で送信される。このソリューションには、複数のＲＴＳ要求に応答した送信合意ＣＴＳの受信または非受信による、第１および第２の物理チャネルそれぞれにおける伝送条件の変化に適応することができるという利点がある。
【０１０１】
有利なやり方では、第１の物理チャネルを介したフレームの伝送は、第２の物理チャネルを介したフレームの伝送と同じ時間を著しく占め、第１の物理チャネルを介して送信されるフレームと、第２の物理チャネルを介して送信されるフレームとの間のビジー時間の差はたとえば、９μｓまたは４μｓ未満である。
【０１０２】
変形形態によると、アクセスポイント１０は、有利なことに第１の物理チャネルを介して、いくつかのステーションへのデータ送信合意の要求のＲＴＳフレームを送信し、前記ステーションはそれぞれ、適用可能な場合は送信合意ＣＴＳを送信する。受信されたＣＴＳに従い、アクセスポイント１０は、複数のステーションにマルチキャストモードでデータを送信する。
【０１０３】
有利な実装例によると、フレーム伝送のための第２の物理チャネルへの第１の物理チャネルの受渡しは、ＭＡＣ層の視点の、物理モード変更機構により実施される。単一ＭＡＣ層が、送信するべきフレームを受信する。ＭＡＣ層は、当業者に公知であるリンク適合機構により、物理モード（第１の物理チャネルの物理モードまたは第２の物理チャネルの物理モード）を選択するが、この機構には、ＲＴＳ／ＣＴＳフレームの交換によるチャネル選択機構が追加される。ＭＡＣ層は、物理層に送信要求を送信し、セレクタが、送信要求を受信して、物理モードに従って、第１のチャネルに対応する物理層または第２のチャネルに対応する物理層に送信要求を従わせる。
【図１】
2015080266.tif 000003
【図２】
2015080266.tif 000004
【図３】
2015080266.tif 000005
【図４】
2015080266.tif 000006
【図５】
2015080266.tif 000007
【図６】
2015080266.tif 000008
【図７】
2015080266.tif 000009
【図８】
2015080266.tif 000010
【図９】
2015080266.tif 000011
【図１０】
2015080266.tif 000012
【図１１】
2015080266.tif 000013
【手続補正書】
【提出日】平成27年1月26日(2015.1.26)
【手続補正１】
【補正対象書類名】特許請求の範囲
【補正対象項目名】全文
【補正方法】変更
【補正の内容】
【特許請求の範囲】
【請求項１】
データを無線で送信するために構成された装置であって、
少なくとも１つの第１の送信要求を、少なくとも１つの第１の物理チャネルを介して送信する手段と、
極高周波に属する少なくとも１つの周波数帯を使用する少なくとも１つの第２の物理チャネルを介して少なくとも１つの第１のデータ送信合意を受信する手段であって、
前記第１の物理チャネルと前記第２の物理チャネルとは異なり、前記少なくとも１つの第１の物理チャネルは、前記少なくとも１つの第２の物理チャネルより外部変動に敏感でない、前記手段と、
前記少なくとも１つの第１のデータ送信合意の受信の後にデータを送信する手段と、
を備える、前記装置。
【請求項２】
前記少なくとも１つの第１の物理チャネルおよび前記少なくとも１つの第２の物理チャネルは、異なる周波数帯を使用する、請求項１に記載の装置。
【請求項３】
前記少なくとも１つの第１の物理チャネルは、周波数すべてが３０ＧＨｚ未満の周波数帯を使用する、請求項１または２に記載の装置。
【請求項４】
前記少なくとも１つの第１のデータ送信合意は、前記少なくとも１つの第１の物理チャネルを介して受信される、請求項１ないし３のいずれか１項に記載の装置。
【請求項５】
前記少なくとも１つの第２の物理チャネルを介した少なくとも１つの第２の送信要求を、前記少なくとも１つの第２の物理チャネルを介して送信する手段をさらに含む、請求項１ないし４のいずれか１項に記載の装置。
【請求項６】
前記少なくとも１つの第２の物理チャネルを介した少なくとも１つの第２のデータ送信合意を、前記少なくとも１つの第２の物理チャネルを介して受信する手段をさらに含む、請求項１ないし５のいずれか１項に記載の装置。
【請求項７】
前記少なくとも１つの第１の物理チャネルを介した少なくとも１つの第２のデータ送信合意を、前記少なくとも１つの第１の物理チャネルを介して受信する手段をさらに含み、前記少なくとも１つの第１のデータ送信合意は、前記少なくとも１つの第２の物理チャネルを介して受信される、請求項１ないし５のいずれか１項に記載の装置。
【請求項８】
少なくとも１つの第１のデータ送信合意の受信品質および少なくとも１つの第２のデータ送信合意の受信品質をテストする手段をさらに備え、
前記データは、前記受信品質のテストの結果にしたがって、前記少なくとも１つの第１の物理チャネルを介して、および／または前記少なくとも１つの第２の物理チャネルを介して送信される、請求項６および７のいずれか１項に記載の装置。
【請求項９】
前記少なくとも１つの第１の物理チャネルを介して送信される少なくとも１つのデータパケットは、前記少なくとも１つの第２の物理チャネルを介して送信される少なくとも１つのデータパケットより高い優先レベルを有する、請求項１ないし８のいずれか１項に記載の装置。
【請求項１０】
前記少なくとも１つの第２の物理チャネルを介して送信される前記データの非受信を表す情報が受信される場合、または
予め定められた時間の満了前に受信される、前記少なくとも１つの第２の物理チャネルを介して送信される前記データの前記受信を表す情報がない場合、
前記少なくとも１つの第２の物理チャネルを介して送信される前記データの少なくとも一部分は、前記少なくとも１つの第１の物理チャネルを介して再度送信される、請求項１ないし９のいずれか１項に記載の装置。
【請求項１１】
前記少なくとも１つの第２の物理チャネルを介して送信されるデータの前記受信を表す情報は、前記少なくとも１つの第１の物理チャネルを介して受信される、請求項１ないし１０のいずれか１項に記載の装置。
【請求項１２】
前記少なくとも１つの第１の送信要求は、前記少なくとも１つの第１の物理チャネルおよび／または前記少なくとも１つの第２の物理チャネル上でのデータ送信要求を表す情報を含む少なくとも１つのフィールドを含む、請求項１ないし１１のいずれか１項に記載の装置。
【請求項１３】
前記少なくとも１つの第１のデータ送信合意は、前記少なくとも１つの第１の物理チャネルおよび／または前記少なくとも１つの第２の物理チャネルを介したデータ送信認可または拒絶を表す情報を含む少なくとも１つのフィールドを含む、請求項１ないし１２のいずれか１項に記載の装置。
【手続補正３】
【補正対象書類名】明細書
【補正対象項目名】０１０３
【補正方法】変更
【補正の内容】
【０１０３】
有利な実装例によると、フレーム伝送のための第２の物理チャネルへの第１の物理チャネルの受渡しは、ＭＡＣ層の視点の、物理モード変更機構により実施される。単一ＭＡＣ層が、送信するべきフレームを受信する。ＭＡＣ層は、当業者に公知であるリンク適合機構により、物理モード（第１の物理チャネルの物理モードまたは第２の物理チャネルの物理モード）を選択するが、この機構には、ＲＴＳ／ＣＴＳフレームの交換によるチャネル選択機構が追加される。ＭＡＣ層は、物理層に送信要求を送信し、セレクタが、送信要求を受信して、物理モードに従って、第１のチャネルに対応する物理層または第２のチャネルに対応する物理層に送信要求を従わせる。
（付記１）
少なくとも１つの第１のノードを備えるワイヤレスネットワーク内の伝送方法であって、
・少なくとも１つの第１の送信要求（４０２、５０２、６０２）を、少なくとも１つの第１の物理チャネルを介して前記少なくとも１つの第１のノードによって送信するステップ（９１）と、
・前記少なくとも１つの第１のノードによって、極高周波（ＥＨＦ）に属する少なくとも１つの周波数帯を使用する少なくとも１つの第２の物理チャネルを介して少なくとも１つの第１のデータ送信合意（４０３、５０５、６０４、６０６）を受信するステップ（９２）であって、
前記第１の物理チャネルおよび前記第２の物理チャネルは異なる、ステップと、
・前記受信（９２）の後でデータを送信するステップ（９３）と
を含む、方法。
（付記２）
前記少なくとも１つの第１のノードは、競合アクセス方法を用いることにより、前記ワイヤレスネットワークにアクセスし、前記少なくとも１つの物理チャネルは、前記少なくとも１つの第２の物理チャネルより外部変動に敏感でない、付記１に記載の方法。
（付記３）
前記少なくとも１つの第１の物理チャネルおよび前記少なくとも１つの第２の物理チャネルは、異なる周波数帯を使用する、付記１または２に記載の方法。
（付記４）
前記少なくとも１つの第１の物理チャネルは、周波数すべてが３０ＧＨｚ未満の周波数帯を使用する、付記１ないし３に記載の方法。
（付記５）
前記少なくとも１つの第１の送信合意（４０３、６０４）は、前記少なくとも１つの第１の物理チャネルを介して前記少なくとも１つの第１のノードによって受信される、付記１ないし４のいずれか１つに記載の方法。
（付記６）
前記少なくとも１つの第１のノードによって、前記少なくとも１つの第２の物理チャネルを介した少なくとも１つの第２の送信要求（６０５）を、前記少なくとも１つの第２の物理チャネルを介して送信するステップを含む、付記１ないし５のいずれか１つに記載の方法。
（付記７）
前記少なくとも１つの第１のノードによって、前記少なくとも１つの第２の物理チャネルを介した少なくとも１つの第２のデータ送信合意（６０６）を、前記少なくとも１つの第２の物理チャネルを介して受信するステップを含む、付記１ないし６のいずれか１つに記載の方法。
（付記８）
前記少なくとも１つの第１のノードによって、前記少なくとも１つの第１の物理チャネルを介した少なくとも１つの第２のデータ送信合意（５０４）を、前記少なくとも１つの第１の物理チャネルを介して受信するステップを含み、前記少なくとも１つの第１の送信合意（５０５）は、前記少なくとも１つの第２の物理チャネルを介して受信される、付記１ないし６のいずれか１つに記載の方法。
（付記９）
・少なくとも１つの第１の送信合意（５０５）の受信品質テストおよび少なくとも１つの第２の送信合意（５０４）の受信品質テストのステップと、
・前記品質テストの結果により、前記少なくとも１つの第１の物理チャネルを介して、
および／または前記少なくとも１つの第２の物理チャネルを介してデータを送信するステップと
を含む、付記７および８のいずれか１つに記載の方法。
（付記１０）
前記少なくとも１つの第１の物理チャネルを介して送信される少なくとも１つのデータパケットは、前記少なくとも１つの第２の物理チャネルを介して送信される少なくとも１つのデータパケットより高い優先レベルをもつ、付記１ないし９のいずれか１つに記載の方法。
（付記１１）
・前記少なくとも１つの第２の物理チャネルを介して送信される前記データの非受信を表す情報が、前記少なくとも１つの第１のノードによって受信され、または
・前記少なくとも１つの第２の物理チャネルを介して送信される前記データの前記受信を表す情報が、予め定められた時間の満了前に受信されない
場合、前記少なくとも１つの第２の物理チャネルを介して送信される前記データの少なくとも一部分は、前記少なくとも１つの第１の物理チャネルを介して前記少なくとも１つの第１のノードによって再度送信される、付記１ないし１０のいずれか１つに記載の方法。
（付記１２）
前記少なくとも１つの第２の物理チャネルを介して送信されるデータの前記受信を表す情報（４０６、６０８）は、前記少なくとも１つの第１の物理チャネルを介して前記少なくとも１つの第１のノードによって受信される、付記１ないし１１のいずれか１つに記載の方法。
（付記１３）
前記少なくとも１つの第１の送信要求（４０２、５０２、６０２）は、前記少なくとも１つの第１の物理チャネルおよび／または前記少なくとも１つの第２の物理チャネル上でのデータ送信要求を表す情報を含む少なくとも１つのフィールドを含む、前記の付記のいずれか１つに記載の方法。
（付記１４）
前記少なくとも１つの第１の送信合意（４０３、５０５、６０４）は、前記少なくとも１つの第１の物理チャネルおよび／または前記少なくとも１つの第２の物理チャネルを介したデータ送信認可または拒絶を表す情報を含む少なくとも１つのフィールドを含む、前記の付記のいずれか１つに記載の方法。
（付記１５）
少なくとも１つの第１のノードを備えるワイヤレスネットワークにおける通信管理方法であって、
・前記少なくとも１つの第１のノードによって、少なくとも１つの第１の物理チャネルを介して少なくとも１つの第１の送信要求（４０２、５０２、６０２）を受信するステップ（１１１）と、
・前記少なくとも１つの第１のノードによって、極高周波（ＥＨＦ）に属する少なくとも１つの周波数帯を使用する少なくとも１つの第２の物理チャネルを介して少なくとも１つの第１のデータ送信合意（４０３、５０５、６０４、６０６）を送信するステップ（１１２）と
を含み、
前記第１の物理チャネルおよび前記第２の物理チャネルは異なる、方法。
【外国語明細書】
2015080266000001.pdf